(57)【要約】【課題】従来の装置では非妊時のデータが全ての出発点になるが、一般的に非妊時の体重、体脂肪量、体水分量等のデータを記憶している人は少なく、記憶していても体重程度である。そのため、ほとんどの場合体重と体重増加量のみの管理になっていた。【解決手段】生体電気インピーダンス法により体脂肪または体水分を測定する装置において、身長、体重等の妊婦の個人データを入力する第一入力手段と、妊娠週数を入力する第二入力手段と、妊婦の生体電気インピーダンスを測定する測定手段と、個人データとインピーダンスから体脂肪量または体水分量を演算する第一演算手段と、演算した体脂肪量または体水分量と非妊時からの体重増加量とから非妊時の体脂肪量または体水分量を演算する第二演算手段とを備える。【選択図】  図２
2004351053.tif 000002
【特許請求の範囲】
【請求項１】
生体電気インピーダンス法により体脂肪または体水分を測定する装置において、身長、体重等の妊婦の個人データを入力する第一入力手段と、妊娠週数を入力する第二入力手段と、妊婦の生体電気インピーダンスを測定する測定手段と、個人データとインピーダンスから体脂肪量または体水分量を演算する第一演算手段と、演算した体脂肪量または体水分量と非妊時からの体重増加量とから非妊時の体脂肪量または体水分量を演算する第二演算手段とを備えた妊婦用体組成管理装置。
【請求項２】
前記第二入力手段は出産予定日を入力することにより妊娠週数を求めることを特徴とする請求項１記載の妊婦用体組成管理装置。
【請求項３】
非妊時と測定時との前記体脂肪量または体水分量の変化から健康管理情報を作成することを特徴とする請求項１記載の妊婦用体組成管理装置。
【発明の詳細な説明】
【０００１】
【発明の属する技術分野】
本発明は、妊婦の体脂肪量または体水分量を測定する妊婦用体組成管理装置に関する。
【０００２】
【従来の技術】
妊娠中の体重及び体重増加量は、その管理が重要であった。また妊婦用の体脂肪または体水分に着目し、非妊時、即ち妊娠前のデータや妊娠中のデータを入力し、妊娠中の体脂肪量または体水分量の変化を見ることがあった。
【０００３】
【発明が解決しようとする課題】
しかし従来の装置では非妊時のデータが全ての出発点になるが、一般的に非妊時の体重、体脂肪量、体水分量等のデータを記憶している人は少なく、記憶していても体重程度である。
【０００４】
そのため、ほとんどの場合体重と体重増加量のみの管理になっていた。
【０００５】
【課題を解決するための手段】
本発明の１つの観点によれば、生体電気インピーダンス法により体脂肪または体水分を測定する装置において、身長、体重等の妊婦の個人データを入力する第一入力手段と、妊娠週数を入力する第二入力手段と、妊婦の生体電気インピーダンスを測定する測定手段と、個人データとインピーダンスから体脂肪量または体水分量を演算する第一演算手段と、演算した体脂肪量または体水分量と非妊時からの体重増加量とから非妊時の体脂肪量または体水分量を演算する第二演算手段とを備えた妊婦用体組成管理装置が提供される。
【０００６】
本発明の一つの実施の形態によれば、第二入力手段は出産予定日を入力することにより妊娠週数を求めることを特徴とする。
【０００７】
本発明の一つの実施の形態によれば、非妊時と測定時との前記体脂肪量または体水分量の変化から健康管理情報を作成することを特徴とする。
【０００８】
【発明の実施の形態】
本発明の実施例について図面を用いて説明する。図１は、本発明に関する妊婦用体組成管理装置１の外観斜視図であり、大きくは測定部２と表示印刷部３とからなり、測定部２の図示しない台板と表示印刷部３に固定される支柱部４とからなる。この測定部２は、公知の体脂肪計と同様の構成で、内部に体重測定センサーを備え、測定部２の上面に被測定者が乗ることで体重が測定できる構成になっている。また、測定部２の上面には、両足間の生体電気インピーダンスを測定すべく電流供給電極５Ａ、６Ａと、電圧測定電極５Ｂ、６Ｂとを備えている。
【０００９】
一方、表示印刷部３は、図２で示す操作部７、入力したデータや結果表示のための表示部８、測定結果を印刷する印刷部９とからなる。この操作部７は、電源スイッチ１０、非測定者の着衣の重量を設定する風袋量設定キー１１、日時を設定するためのキー１２、性別・体型を設定するキー群１３、データ等を設定するためのテンキー１４を備えている。
【００１０】
図３は、体脂肪計１の電気ブロック図を示すもので、マイクロコンピュータを備えた制御部１５を備え、この制御部１５に図２の操作部７の各スイッチ、キーが接続され、表示部８、印刷部９も接続される。
【００１１】
また、測定部２からは、定電流発生回路１６を介して電流供給電極５Ａ、６Ａが、電圧測定回路１７を介して電圧測定電極５Ｂ、６Ｂが、体重測定センサーがそれぞれ制御部１５に接続している。
【００１２】
さらに、制御部１５には、データを記憶するためのメモリ１８が接続されるほか、妊娠週数等の日時データを発生させる時計回路１９も接続される。
なお、電源２０は、各部に電力を供給するものである。
【００１３】
次に本発明の体脂肪計１の動作を図４のフローチャートを用いて説明する。最初に電源スイッチ１０をオンすると、ステップＳ１で制御部１５は、マイクロコンピュータやメモリ１８等を初期化する。次にステップＳ２で日時設定がされているかどうかを判断し、設定されていればステップＳ４に進む。日時が設定されていなければ、ステップＳ３で日時をセットする。この日時設定は、一般の装置で用いられているものと同じであるため、詳細な説明を省略する。
【００１４】
ステップＳ４では、表示部８に「着衣重量、即ち風袋量をテンキー１４から入力し、入力が完了したら風袋量設定キー１１を押して下さい」と表示をする。ここで被測定者がテンキー１４から１．０ｋｇを入力し、風袋量設定キー１１をオンすると、ステップＳ５でＹｅｓと判断され、ステップＳ６に進み、メモリ１８に風袋量を記憶する。ステップＳ５で風袋量設定キー１１がオンされなければ、ステップＳ４に戻り、風袋量の入力を促す表示を繰り返す。
【００１５】
次にステップＳ７では、性別・体型別を設定するキー群１３で被測定者にあったキーをオンするように表示部８に表示する。ここで被測定者が、例えば男性のスタンダードである場合、図２の男性マークの枠内でスタンダードのキーをオンする。すると、ステップＳ８で入力を判断し、ステップＳ９に進み、オンしたキーのデータをメモリ１８に記憶する。ステップＳ８では、キーがオンされるまで、ステップＳ７に戻り、キーのオンを促しつづける。
【００１６】
同様にステップＳ１０からステップＳ１２では被測定者の年齢を、ステップＳ１３からステップＳ１５では被測定者の身長を入力し、メモリ１８に記憶する処理を行う。
【００１７】
そしてステップＳ１６では、ステップＳ８でオンしたキーが何であるかを判断し、この場合には男性のスタンダードであるので、Ｎｏと判断され、ステップＳ１７に進む。
【００１８】
ステップＳ１７では、被測定者が電流供給電極５Ａ、６Ａにつま先を、電圧測定電極５Ｂ、６Ｂに踵を接して測定部２に乗ったことを確認して測定を開始する。体重の測定は、体重センサーからの出力を制御部１５に取り込み、ステップＳ１８で演算する。一方、インピーダンスは、定電流回路１６から電極５Ａ、６Ａ間に一定電流を流し、電極５Ｂ、６Ｂ間の電圧を電圧測定回路１７で測定し、電流と電圧の関係からインピーダンスをステップＳ１８で演算する。ステップＳ１８では、測定した体重から風袋量を減算し、被測定者の体重を演算すると共に、インピーダンスから体脂肪率を、体重に体脂肪率を乗算して体脂肪量を、体重から体脂肪量を減算して除脂肪量を、除脂肪量に平均的体水分率である７３．２％を乗算して体水分量を、身長と体重からＢＭＩ（体格指数）をそれぞれ演算する。
【００１９】
そしてこの演算結果は、ステップＳ１９で表示部８に表示すると共に、印刷部９よりプリントアウトする。図５は、このプリントアウトの例であり、測定時間のほか入力した性別・体型、年齢、身長等の個人データ、ステップＳ１７及びステップＳ１８で測定・演算した結果を印刷する。
【００２０】
この表示及び印刷の後、ステップＳ４に戻り次のデータ入力を待つ。
【００２１】
次に、上記ステップＳ８で図２のマタニティキーがオンされた場合には、ステップＳ１６でＹｅｓと判断され、ステップＳ２０に進む。ステップＳ２０では、表示部８に出産予定日を入力してくださいと表示し、ステップＳ２１でテンキーよりの年月日の入力がなされるまで、ステップＳ２０とＳ２１を繰り返す。
【００２２】
予定年月日が入力されると、ステップＳ２１でＹｅｓと判断され、ステップＳ２２で入力された出産予定日と測定日のデータとから妊娠週数を演算する。そしてステップＳ２３で妊娠前（非妊時）の体重を入力してくださいと表示し、ステップＳ２４に進む。
【００２３】
ステップＳ２４ではテンキーより体重値を入力するとＹｅｓと判断され、ステップＳ２５でメモリ１８に記憶する。
【００２４】
マタニティの場合には、ステップＳ１７の処理は通常の場合と同じであるが、ステップＳ１８でのデータ演算において、通常の場合に比べて追加されるものは以下のとおりである。
【００２５】
図６に示すグラフ（メモリ１８にデータが記憶されている）より妊娠週数に対応した胎児体重、羊水重量、胎盤重量を読み出して、風袋量を減算した測定体重からさらにこれらを減算することで胎児部分重量を引いた体重を求め、この体重にもとづいて測定時点での体脂肪率、体脂肪量、除脂肪量、体水分量、体水分量／体脂肪量（ＴＢＷ／ＦＡＴ）を演算する。
【００２６】
さらに、ステップＳ１７で測定した現在の体重からステップＳ２４で入力した非妊時の体重を減算し、非妊時から測定時までの体重増加量を演算する。本発明者はこの体重増加量に対する非妊時から測定時までの体脂肪増加量及び体水分増加量の比率が夫々約５８％、約２９％であることを発見した。この比率は妊娠６週から１６週まで変化なく、さらにつわり等で体重が変化しても比率の変化がないことを発見した。それゆえ、妊娠６週から１６週の間で測定した時には、このステップＳ１８で非妊時から現在までの体重増加量にこの比率をかけ、非妊時から測定時までの体脂肪増加量と体水分増加量を演算するとともに、現在の体脂肪量及び体水分量から体脂肪増加量と体水分増加量を減算し、非妊時の体脂肪量と体水分量を演算する。
【００２７】
この体脂肪量と体水分量の演算は、妊娠６週から１６週までの間で少なくとも１回の測定を行うことで求めた非妊時の体脂肪量と体水分量をメモリ１８に記憶しておけば、妊娠中期や末期であっても、非妊時から測定時までの体脂肪増加量、体水分増加量のデータを演算できる。
【００２８】
そしてその結果をステップＳ１９で表示部８に表示し、印刷部９でプリントアウトする。妊娠２４週と５日に測定したプリントアウトの例は、図７で示すように図５の例に対して妊娠週数、胎児部分重量を引く前の補正前体重（風袋量は減算してある）と引いた後の補正後体重の印字、胎児体重、羊水重量、胎盤重量、胎児部分重量を引く前の体重（風袋量は減算してある）と身長とから求める補正前ＢＭＩ、非妊時体重、非妊時体脂肪量、非妊時体水分量、妊娠前から測定時までの体重増加量（非妊）、体脂肪増加量、体水分増加量が追加されている。この補正前ＢＭＩを演算し、表示または印刷するのは、この補正前ＢＭＩの値により胎児の成長状況を判断する産婦人科医へのデータ提供のためである。
【００２９】
なお、同様にデータ提供のために図７で示すプリントアウト例、または表示器８の表示に追加する形で、非妊時のＢＭＩを印刷または表示してもよい。
【００３０】
この表示・印刷のステップＳ１９が終了すると、ステップＳ４に戻り次のデータ入力を待つ。
【００３１】
上記マタニティの表示において、体脂肪率は、数値のみで表示したが、妊娠週数と適正脂肪率との関係は図８で示すように妊娠初期に上昇し、妊娠末期に若干減少することが判明したので、このグラフのデータをメモリ１８に記憶しておき、ステップＳ１８において体脂肪率を演算した後に妊娠週数に応じて体脂肪率が過少、適正、過多等の判断と、その判断に基づくアドバイスを表示または印刷すると、妊婦にとって対処法が分かり易い。
【００３２】
また、上記マタニティの表示において、図８では妊娠週数と体脂肪率との関係に基づき過少、適正、過多等の判断とアドバイスを行ったが、妊娠週数と非妊時からの体脂肪増加量との関係に基づき図８の場合と同様に過少、適正、過多等の判断とアドバイスを行っても良い。この場合、非妊時の体型がやせ型（ＢＭＩが１８未満）、標準型（ＢＭＩが１８以上、２４以下）、肥満（ＢＭＩが２４を超える）により、図９、図１０、図１１に示すように適正範囲が異なる。これらの図においては、中心のグラフが適正体脂肪増加量の中心値を示し、上のグラフが適正体脂肪増加量の上限値を、下のグラフが適正脂肪増加量の下限値を示している。したがって図４のステップＳ１８において非妊時のＢＭＩを演算しておき、上のグラフを越える体脂肪増加量が測定された場合には、表示部８の表示または印刷部９のプリントアウトで体脂肪増加量が過多である、望ましい食事のメニューはこうですと言ったアドバイスができる。
【００３３】
なお、この実施例では、胎児体重、羊水重量、胎盤重量を図６の妊娠週数に応じて推定し自動入力していたが、測定の度にテンキーより数値入力しても良い。
【００３４】
また、上記実施例では演算結果を表示・印刷をしたが、過去の履歴をメモリ１８から呼び出し、図８、図９、図１０、図１１のグラフ上に演算結果のグラフを表示し、過去の変化を表示しても良い。
【００３５】
【発明の効果】
本発明は、生体電気インピーダンス法により体脂肪または体水分を測定する装置において、身長、体重等の妊婦の個人データを入力する第一入力手段と、妊娠週数を入力する第二入力手段と、妊婦の生体電気インピーダンスを測定する測定手段と、個人データとインピーダンスから体脂肪量または体水分量を演算する第一演算手段と、演算した体脂肪量または体水分量と非妊時からの体重増加量とから非妊時の体脂肪量または体水分量を演算する第二演算手段とを備えた妊婦用体組成管理装置であり、非妊時の体脂肪量や体水分量を記憶していない場合でも簡単に求められ、妊婦の体脂肪量や体水分量の体組成の管理ができる。
【００３６】
また、前記第二入力手段は出産予定日を入力することにより簡単に妊娠週数を求めることができる。
【００３７】
さらに、本発明は妊娠週数から求めた胎児部分の重量を入力することにより正確に妊婦の体脂肪率が測定出来る。
【図面の簡単な説明】
【図１】本発明に関する装置の外観斜視図である。
【図２】本発明に関する装置の表示印刷部を示す図である。
【図３】電気ブロック図である。
【図４】本発明に関する装置のフローチャートである。
【図５】マタニティ以外の印刷の例を示す図である。
【図６】妊娠週数と胎児部分重量との関係を示す図である。
【図７】マタニティの印刷の例を示す図である。
【図８】妊娠週数と体脂肪率との関係を示す図である。
【図９】やせ型の妊娠週数と体脂肪増加量を示す図である。
【図１０】標準型の妊娠週数と体脂肪増加量を示す図である。
【図１１】肥満型の妊娠週数と体脂肪増加量を示す図である。
【符号の説明】
１  体脂肪計
２  測定部
３  表示印刷部
５Ａ、５Ｂ、６Ａ、６Ｂ  電極
７  操作部
８  表示部
９  印刷部
１２  日時設定キー
１３  性別・体型設定キー
１４  テンキー
【図１】
2004351053.tif 000003
【図２】
2004351053.tif 000004
【図３】
2004351053.tif 000005
【図４】
2004351053.tif 000006
【図５】
2004351053.tif 000007
【図６】
2004351053.tif 000008
【図７】
2004351053.tif 000009
【図８】
2004351053.tif 000010
【図９】
2004351053.tif 000011
【図１０】
2004351053.tif 000012
【図１１】
2004351053.tif 000013